(57)【要約】【課題】空気調和機の自動運転時、吹き出し風による吸込み口へのショートサーキットの影響による冷暖運転切り替えの誤動作を回避し、住環境を改善し快適性を向上する。【解決手段】運転モード設定装置により自動運転が選択された場合、少なくとも一定時間毎に室内吸込み温度を検知し、室内機の形態と室内風量と風向角度によりショートサーキットの影響を受けやすい場合は、吸込み温度と設定温度の差温を所定の値に変更し、自動運転時の冷暖切り替えの温度を変更するように制御し、快適性を向上させる。【選択図】図２
2007057189.tif 000002
【特許請求の範囲】
【請求項１】
圧縮機、室外熱交換器、送風機、４方弁、絞り装置、冷媒液管、冷媒ガス管とを有する室外機と熱交換器、送風機及び風向変更装置を有する室内機を接続し、少なくとも前記室内機に室内吸込み温度を検出する室内吸込み温度検知装置と前記室内機の運転を指示する運転モード設定装置の設定温度を記憶する運転温度設定装置と前記室内送風機の設定風量を記憶する室内送風機風量設定記憶装置と前記風向変更装置の設定値を記憶する室内風向設定記憶装置とを設け、前記室内吸込み温度検知装置と運転温度設定装置と差温により、少なくとも圧縮機の運転を制御する空気調和装置において、室内機の形態により前記差温の補正値を設け、前記補正後の差温により少なくとも圧縮機の運転を制御するよう制御装置を構成し、運転モード設定装置により自動運転が選択された場合、少なくとも一定時間毎に室内吸込み温度を検知し、前記室内吸込み温度検知装置と運転温度設定装置と差温により冷房運転と暖房運転の切り替えを行うように制御装置を構成し、少なくとも室内機の形態により冷房運転と暖房運転の切り替えを行う差温設定値をかえることを特徴とする空気調和装置。
【請求項２】
室内送風機の風量設定値により冷房運転と暖房運転の切り替えを行う差温設定値をかえることを特徴とする、請求項１に記載の空気調和装置。
【請求項３】
室内風向変更装置の設定値により冷房運転と暖房運転の切り替えを行う差温設定値をかえることを特徴とする、請求項１〜２のいずれかに記載の空気調和装置。
【発明の詳細な説明】
【技術分野】
【０００１】
本発明は、空気調和装置の制御に関するものである。
【背景技術】
【０００２】
従来の空気調和機では、自動運転時、室内機の形態や室内機の風量及び風向によらず、一定時間毎に吸込み温度と設定温度の差のが所定の温度以下（例えば吸込み温度―設定温度＝−３℃以下）になると暖房運転、吸込み温度と設定温度の差のが所定の温度以上（例えば吸込み温度―設定温度＝３℃以上）になると冷房運転。
【０００３】
双方の間は前の運転モード継続（例えば冷房運転中は吸込み温度−設定温度＝−３℃以下にならないと暖房運転に切り替わらない）するように制御されている（例えば、特許文献１参照）。
【特許文献１】特開平６−１０１８８５号公報
【発明の開示】
【発明が解決しようとする課題】
【０００４】
しかしながら、従来の空気調和装置（特に４方向に風が吹き出す天井カセット型空気調和装置）では吹き出した空気を直接吸込みやすい（以降、ショートサーキットとする）構造であるための、吹き出した空気のショートサーキットの影響で部屋の温度と空気調和装置の吸込み検知装置の温度との齟齬が生じ、部屋全体の温度がリモコンの設定温度に近づく前に圧縮機停止（サーモオフ）してしてしまうことがあるので、ショートサーキットしやすい形態の室内機は、吸込み温度と設定温度の差温を変更することにより、設定温度に近づくように制御している。
【０００５】
しかし、自動運転時は、冷房暖房の切り替え（モード判定）は吸込み温度と設定温度の差のみにより判定を行っているために、冷房暖房の切り替えが頻繁に起き、快適性を著しく損なっていた。
【０００６】
本発明は、前記従来の課題を解決するためのものであり、ショートサーキットが発生しやすい条件であっても室内温度を目標の設定温度に近づけることができるように制御する空気調和装置を提供することを目的とするものである。
【発明の効果】
【０００７】
本発明の空気調和装置は、自動運転時、室内機の形態や、室内機の設定風量と設定風向により吸込み温度と設定温度の差温を変更し、ショートサーキットしやすい条件（風量が少なくかつ風向設定が吸い込み口に近い方向の場合）の場合は、運転モード切替すべき温度を変更し、（冷房時は下げる、暖房時は上げる）、頻繁に冷房暖房運転の切り替えを行うことなく、部屋全体が確実に設定温度に近づくように制御することにより、快適性が高い空気調和装置が供給できる。
【発明を実施するための最良の形態】
【０００８】
第１の発明は、圧縮機、室外熱交換器、送風機、４方弁、絞り装置、冷媒液管、冷媒ガス管とを有する室外機と熱交換器、送風機及び風向変更装置を有する室内機を接続し、少なくとも室内機に室内吸込み温度を検出する室内吸込み温度検知装置と室内機の運転を指示する運転モード設定装置の設定温度を記憶する運転温度設定装置と室内送風機の設定風量を記憶する室内送風機風量設定記憶装置と風向変更装置の設定値を記憶する室内風向設定記憶装置とを設け、室内吸込み温度検知装置と運転温度設定装置と差温により、少なく
とも圧縮機の運転を制御する空気調和装置において、室内機の形態により差温の補正値を設け、補正後の差温により少なくとも圧縮機の運転を制御するように制御装置を構成し、運転モード設定装置により自動運転が選択された場合、少なくとも一定時間毎に室内吸込み温度を検知し、室内吸込み温度検知装置と運転温度設定装置と差温により冷房運転と暖房運転の切り替えを行うように制御装置を構成し、少なくとも室内機の形態により冷房運転と暖房運転の切り替えを行う差温設定値をかえることにより、ショートサーキットしやすい形態の室内機でも頻繁に冷房暖房運転の切り替えを行うことなく、部屋全体が確実に設定温度に近づくように制御することにより、快適性が高い空気調和装置が供給できる。
【０００９】
第２の発明は、特に第１の発明の自動運転時、室内機の形態と室内送風機の風量設定より少なくとも冷房暖房をの切り替えを判断する差温設定値をかえることにより、ショートサーキットしやすい形態の室内機でかつ設定風量が小さく著しくショートサーキットしやすい場合でも、頻繁に冷房暖房運転の切り替えを行うことなく、部屋全体が確実に設定温度に近づくように制御することによりが可能となり、快適性が向上する空気調和装置が供給できる。
【００１０】
第３の発明は、特に第１〜２の発明の自動運転時、室内機の形態と室内送風機の風量設定と室内風向変更装置の設定により少なくとも冷房暖房をの切り替えを判断する差温設定値をかえることにより、ショートサーキットしやすい形態の室内機でかつ設定風量が小さくかつ設定した風向が吸込み口に近いといった、著しくショートサーキットしやすい場合でも、頻繁に冷房暖房運転の切り替えを行うことなく、部屋全体が確実に設定温度に近づくように制御することによりが可能となり、快適性が向上する空気調和装置が供給できる。
【００１１】
以下、本発明の実施の形態について、図面を参照しながら説明する。なお、本実施の形態によって本発明が限定されるものではない。
【００１２】
（実施の形態１）
図１は、本発明の実施の形態１における空気調和機の冷凍サイクル図の１例であり、図２は制御ブロック図、図３は吸込み温度と設定温度の差温信号を示す図、図４は機種毎の温度補正を示す図、図５は冷房、暖房運転切り替え（モード判定）を行う温度設定値を示す図、図６、図７は室内機の断面図である。
【００１３】
図１において、室外機１には圧縮機２と、室外熱交換器３と、室外送風機４と、冷媒液管５と、冷媒ガス管６と、冷暖房切換用の四方弁７と、絞り装置８が設けられている。又、室外機１には室外熱交換器３の温度を検出する室外熱交換器温度検知装置９が設けられている。
【００１４】
一方、室内機１０には室内送風機１１と、室内熱交換器１２と、室内熱交換器１２の温度を検出する室内熱交換器温度検知装置１３と、部屋の室温を検出する室内吸込み温度検知装置１４と、風向を変更する風向変更装置１５と、居住者が希望する運転モード（冷房、ドライ、暖房又は自動）、室温、運転あるいは停止、風量及び風向を設定できる運転設定装置１６が設けられている。風向変更装置１５は図６に示す様に上下羽根１７とルーバーモータ１８で構成されており、居住者が希望する位置を運転設定装置１６に設定されている複数個の中から選択出来る（ここでは図６に４つの設定例を記載）ようになっている。
【００１５】
上記構成の冷凍サイクルにおいて、冷房あるいは除湿運転時、圧縮機２から吐出された冷媒は四方弁７を介して室外熱交換器３へと流れ、室外送風機４の駆動により室外熱交換器３で室外空気と熱交換して凝縮液化し、次に絞り装置８を通過することにより減圧され
た冷媒は室内熱交換器１１で蒸発した後に、冷媒ガス管６を通り四方弁７を介して再び圧縮機２に吸入される（暖房の説明は省略する）。
【００１６】
次に、本発明の制御の流れについて図２、３、４、５を用いて説明する。
【００１７】
本発明の空気調和機の制御装置２１には、居住者が希望する運転モード切替スイッチ２２（冷房、ドライ、送風、暖房、又は自動）と室内温度設定スイッチ２３と運転停止スイッチ２４と風量設定スイッチ２５と風向設定スイッチ２６で構成されている運転設定装置１６の信号を受信する信号受信装置２７と、室内吸込み温度検知装置１４と、室内吸込み温度の設定値を記憶する室内吸込み温度設定記憶装置２８と、風量の設定値を記憶する風量設定記憶装置２９と風向の設定値を記憶する風向設定記憶装置３０と、以上の信号を定期的に検出するためのサンプリング時間を設定する運転時間設定記憶装置３１と、以上の信号をサンプリング時間毎受けて室内外の信号の送受信を行う信号送受信装置３２とその信号により圧縮機２、室内送風機１１、室外送風機４等を駆動する出力リレー回路３３等を有している。
【００１８】
居住者が運転モード切替スイッチ２２で自動運転選択し、風量設定装置２５をある設定（ここでは例えばＨｉ）、風向設定装置２６をある設定（ここでは例えば図６の風向４）で運転を開始すると、設定温度記憶装置２８、室内吸い込み温度検知装置１４の信号により、室内吸込み検知温度が設定温度より高い場合は冷房、低い場合は暖房運転を開始するが、運転開始後は運転時間設定記憶装置３１に設定された時間毎（ここでは例えば３０分毎）に差温算出装置３４が室温と設定温度の差温を算出し、差温信号（ＤＴ）により暖房運転中の場合は図５の運転切り替え（モード切替）差温信号（ここでは例えばＤＴ＝Ｔ５）値以上、冷房運転中の場合は、図５の運転切り替え（モード切替）差温信号（ここでは例えばＤＴ＝１２）値以下になると、冷房・暖房運転の切り替えを行う。
【００１９】
しかし、図６，７に示す様な室内機では（ここでは４方向天井カセット型の断面図を示す）、室内機１０の吸込み口１９より吸込まれた空気は、室内送風機１１により、室内熱交換器１２をとおり冷やされ（暖房では暖められ）、吹き出し口２０より上下羽根１７により向きを変えて吹きだされるが、吸込み口１９と吹き出し口２０が近くにあるために、風向が下向き（図５の風向４）の場合や風量が小さい場合は吹き出した空気を吸込みやすい構造になっていて、冷房運転時は部屋の温度より低めの検知、暖房時は高めの検知をしやすい構造になっているので、実際の室温と吸込み温度の検知差が生じる。
【００２０】
よって、本発明の空気調和装置は、差温算出装置３４は図４に示す様に機種毎に設定されたの補正係数（ＤＴＫ）を勘案し、室温と設定温度の差から機種補正温度（ＤＴＫ）を引いたものを差温信号（ＤＴ）とし、この補正後の差温信号（ＤＴ）値により冷房・暖房の切り替えを行う。
【００２１】
そしてこの構成のよれば、室内機の機種形態により、冷房・暖房運転の切り替え（モード切替）を行う差温設定値をかえることにより、ショートサーキットしやすい機種の場合でも、部屋全体が早く確実に設定温度に近づくことが可能となり、快適性が向上する空気調和装置が供給できる（例えば冷房時は吹き出した風により低めの室温検知の傾向があるが、温度シフトすることにより  ショートサーキットの影響により誤差を解消する）。
【００２２】
（実施の形態２）
本発明にかかる空気調和機の冷凍サイクル図は実施の形態１と同様なので説明は省略する。図２は制御ブロック図、図３は吸込み温度と設定温度の差温信号を示す図、図４は機種毎の温度補正を示す図、図５は冷房、暖房運転切り替え（モード切替）を行う温度設定値を示す図、図８は温度シフトを示す図である。
【００２３】
次に、本発明の制御の流れについて図２、３、４、５、８を用いて説明する。
【００２４】
居住者が運転モード切替スイッチ２２で自動運転選択し、風量設定装置２５をある設定（ここでは例えばＨｉ）、風向設定装置２６をある設定（ここでは例えば図６の風向４）で運転を開始すると、設定温度記憶装置２８、室内吸い込み温度検知装置１４の信号により、室内吸込み検知温度が設定温度より高い場合は冷房、低い場合は暖房運転を開始するが、運転開始後は運転時間設定記憶装置３１に設定された時間毎（ここでは例えば３０分毎）に室温と設定温度と機種補正値（ＤＴＫ）により差温算出装置３４が差温を算出し、差温信号（ＤＴ）により暖房運転中の場合は図５の運転切り替え（モード切替）差温信号（ここでは例えばＤＴ＝Ｔ５）値以上、冷房運転中の場合は、図５の運転切り替え（モード切替）差温信号（ここでは例えばＤＴ＝１２）値以下になると、冷房・暖房運転の切り替えを行う。
【００２５】
しかし、図８に示す様に風量設定装置２５がある設定（ここでは例えば風量Ｌｏ）の場合、冷房の場合はある温度（ここでは例えば１℃）室内吸い込み温度検知装置１４の信号よりプラス（室温−吸込み温度−機種補正係数＋１℃）し、暖房の場合はある温度（ここでは例えば１℃）室内吸い込み温度検知装置１４の信号よりマイナス（室温−吸込み温度−機種補正係数−２℃）した差温信号（ＤＴ）より冷房・暖房の切り替え（モード切替）を行う。
【００２６】
上記の様に図８のマトリックス図に基づき、室内送風機の風量設定値により冷房暖房の切り替え（モード切替）を行う差温設定値をかえることにより、室内送風機の風量設定値が小さくショートサーキットしやすい場合でも、部屋全体が早く確実に設定温度に近づくことが可能となり、快適性が向上する空気調和装置が供給できる（例えば冷房時は吹き出した風により低めの室温検知の傾向があるが、温度シフトすることによりショートサーキットの影響により誤差を解消する）。
【００２７】
（実施の形態３）
本発明にかかる空気調和機の冷凍サイクル図は実施の形態１と同様なので説明は省略する。図２は制御ブロック図、図３は吸込み温度と設定温度の差温信号を示す図、、図４は機種毎の温度補正を示す図、図５は冷房、暖房運転切り替え（モード切替）を行う温度設定値を示す図、図９は温度シフトを示す図である。
【００２８】
次に、本発明の制御の流れについて図２、３、４、５、９を用いて説明する。
【００２９】
居住者が運転モード切替スイッチ２２で自動運転選択し、風量設定装置２５をある設定（ここでは例えばＨｉ）、風向設定装置２６をある設定（ここでは例えば図６の風向４）で運転を開始すると、設定温度記憶装置２８、室内吸い込み温度検知装置１４の信号により、室内吸込み検知温度が設定温度より高い場合は冷房、低い場合は暖房運転を開始するが、運転開始後は運転時間設定記憶装置３１に設定された時間毎に（ここでは例えば３０分毎）室温と設定温度と機種補正値（ＤＴＫ）により差温算出装置３４が差温を算出し、差温信号（ＤＴ）により暖房運転中の場合は図５の運転切り替え（モード切替）差温信号（ここでは例えばＤＴ＝Ｔ５）値以上、冷房運転中の場合は、図５の運転切り替え（モード切替）差温信号（ここでは例えばＤＴ＝１２）値以下になると、冷房・暖房運転の切り替えを行う。しかし、図９に示す様に風量設定装置２５がある設定（ここでは例えば風量Ｌｏ）でかつ風向設定装置２６をある設定（ここでは例えば図５の風向４）の場合、冷房の場合はある温度（ここでは例えば２℃）室内吸い込み温度検知装置１４の信号よりプラス（室温−吸込み温度−機種補正値＋２℃）し、暖房の場合はある温度（ここでは例えば２℃）室内吸い込み温度検知装置１４の信号よりマイナスした（室温−吸込み温度−機種
補正値−２℃）差温信号（ＤＴ）より冷房・暖房の切り替えを行う。
【００３０】
上記の様に図８のマトリックス表に基づき、室内送風機の風量設定値と風向設定装置により冷房暖房の切り替え（モード切替）を行う差温設定値をかえることにより、設定風量が小さくかつ風向が下向きのショートサーキットしやすい場合でも、部屋全体が早く確実に設定温度に近づくことが可能となり、快適性が向上する空気調和装置が供給できる（例えば冷房時は吹き出した風により低めの室温検知の傾向があるが、温度シフトすることによりショートサーキットの影響により誤差を解消する）。
【産業上の利用可能性】
【００３１】
以上のように本発明にかかる空気調和装置は、自動運転時、室内機の形態や、室内機の設定風量と設定風向により吸込み温度と設定温度の差温を変更し、頻繁に冷房暖房運転の切り替えを行うことなく、快適性の高い空気調和装置が供給できるので、マルチ型空気調和装置への用途にも適用できる。
【図面の簡単な説明】
【００３２】
【図１】本発明の第１〜第３の実施の形態の冷凍サイクル図
【図２】本発明の第１〜第３の実施の形態の制御ブロック図
【図３】本発明の第１〜第３の実施の形態の温度ゾーン図
【図４】本発明の第１〜第３の実施の形態の温度値図
【図５】本発明の第１〜第３の実施の形態の温度値図
【図６】本発明の第１〜第３の実施の形態の室内機の吹き出し部断面図及び風向変更羽根の風向設定図
【図７】本発明の第１〜第３の実施の形態の室内機の断面図
【図８】本発明の第２の実施の形態の温度値図
【図９】本発明の第３の実施の形態の温度値図
【符号の説明】
【００３３】
１  室外機
２  圧縮機
３  室外熱交換器
４  室外送風機
５  冷媒液管
６  冷媒ガス管
７  四方弁
８  絞り装置
９  室外熱交換器温度検知装置
１０  室内機
１１  室内送風機
１２  室内熱交換器
１３  室内熱交換器温度検知装置
１４  室内吸込み温度検知装置
１５  室内風向変更装置
１６  運転設定装置
【図１】
2007057189.tif 000003
【図２】
2007057189.tif 000004
【図３】
2007057189.tif 000005
【図４】
2007057189.tif 000006
【図５】
2007057189.tif 000007
【図６】
2007057189.tif 000008
【図７】
2007057189.tif 000009
【図８】
2007057189.tif 000010
【図９】
2007057189.tif 000011